(57)【要約】【課題】機構や機能を複雑にすることなく、意図しないボタン入力を防ぐようにしたＳＩＭリーダライタを提供すること。【解決手段】ＵＳＢ用コネクタを有し、接触と非接触のインターフェイスを備えるＳＩＭを着脱可能に装着するＳＩＭリーダライタであって、表面に設けた凹部６，７，８内に操作ボタン９，１０，１１を設置した構成とする。不用意にボタンを触って動作させてしまう機会が小さくなり、意図しないボタン入力を防ぐことができる。また、操作ボタンの近くに指操作式のセンサー又はデバイスを設けたタイプのＳＩＭリーダライタにあっては、センサーやデバイスを指で操作する際に過ってボタンを押すことがない。【選択図】図２
2005202642.tif 000002
【特許請求の範囲】
【請求項１】
ＵＳＢ用コネクタを有し、接触と非接触のインターフェイスを備えるＳＩＭを着脱可能に装着するＳＩＭリーダライタであって、表面に設けた凹部内に操作ボタンを設置したことを特徴とするＳＩＭリーダライタ。
【請求項２】
凹部に隣接して指操作式のセンサー又はデバイスがあることを特徴とする請求項１に記載のＳＩＭリーダライタ。
【発明の詳細な説明】
【技術分野】
【０００１】
本発明は、ＵＳＢ（Universal Serial Bus）用コネクタを有し、接触と非接触のインターフェースを備えたＳＩＭ（Subscriber Identity Module）を着脱可能に装着するように構成され、電子マネー、プリペイド、電子チケット、ドアゲート等に好適に利用される携帯用のＳＩＭリーダライタに関するものである。
【背景技術】
【０００２】
近年、ＩＳＯ７８１６−２、ＩＳＯ７８１６−３で規定される接触と、ＵＳＢ接触とのデュアルインターフェースのＩＣカードが開発されている（例えば、特許文献１参照）。このようなＵＳＢインターフェースを持つＩＣカードは、パソコンなどのＵＳＢ対応の機器との接続を容易にし、社員証カードなどでネットワークアクセス用ＩＤカードとして注目されはじめている。
【０００３】
一方、ｅ−Ｔｏｋｅｎと呼ばれるＩＣチップを内蔵したネットワークアクセス用ＩＤモジュールが使用されている。これは、ＵＳＢ接触インターフェースを持ち、パソコン（ＰＣ）のＵＳＢコネクタに差し込んでプラグアンドプレイ、すなわち煩わしい操作を必要とすることなく、ネットワークセキュリティを確保したシステムに使用されている。ドングルと呼ばれることもあり、携帯電話のストラップやキーホルダーとともに持ち歩ける利便性がある。
【０００４】
他方、携帯電話には、小型のＳＩＭや、ＵＩＭ又はＵＳＩＭと呼ばれるセキュリティＩＤモジュールが組み込まれてきており、日本でも最新の携帯電話に組み込まれて既に実用化されている。
【０００５】
ＵＩＭ（User Identity Module）は、携帯電話会社が発行する契約者情報を記録した小型のＩＣカードであって、携帯電話機に組み込んで利用者の識別に使用する。これは同種の機能を持つＳＩＭから機能拡張が行われたもので、契約者情報以外に電話帳などのプライベート情報やクレジット決済用の個人識別情報などを暗号化して登録することが可能となっており、ＳＩＭをベースにしていることからＵＳＩＭ（Universal SIM ）と呼ばれることもある。ＳＩＭはＧＳＭ携帯電話サービスの利用を目的とするが、ＵＩＭは、例えばアメリカのｃｄｍａ２０００携帯電話機に差し込んで国際ローミングサービスを受けるといった使用方法が考えられている。いずれにしても、このようなＳＩＭやＵＩＭは既存技術があるので製造や発行処理が簡単である。
【特許文献１】特表２００２−５２５７２０号公報
【発明の開示】
【発明が解決しようとする課題】
【０００６】
上記のドングルと呼ばれるキーホルダー型のＩＤモジュールは、ＩＣチップを射出成形等で樹脂成形するので、従来のＩＣカードやＳＩＭのような方式で製造したり発行処理することができない問題がある。そこで、キーホルダー型ＩＤモジュールに非接触通信機能を持たせ、ＳＩＭ自体のＩＣチップに接触、非接触インターフェイスを備えさせ、かつＳＩＭを装着するリーダライタが提案されている。
【０００７】
このような携帯型のＳＩＭリーダライタの一つとして、電源のオンオフや種々の操作を行うための操作ボタンを有しているタイプも提案されている。ところが、操作ボタンを露出して設けた場合、過ってボタンが押されてしまうことがある。中には、身体や物の一部が当たったりして、その持ち主自身はボタンが押されたことは全く分からないケースもある。そのため、特にそのような機会の多い携帯用の端末等は、操作ボタンが露出しないように蓋の中にボタンを付けたり、二つ折りの内側にレイアウトしたりすることがあるほか、ボタン操作に対応して音を出したり、動作することを知らせる音や光を出したり、或いは振動したりするものがある。しかし、このような機構や効果を持たせるためには、機構や機能を複雑にしたり、新たな機能を搭載したりしなければならず、そのため、寸法、重量、動作電力、強度・耐久性、部品点数や価格に悪影響を及ぼすことがある。
【０００８】
また、例えば、鞄の中に入れておいて、物が当たってスイッチが入ってしまったにもかかわらず、持ち主がそのことにきづかない場合は無駄にバッテリーが消費されてしまったり、意図しない機能が自動的に動作してしまうこともあり得る。
【０００９】
本発明は、このような事情に鑑みてなされたものであり、その目的とするところは、機構や機能を複雑にすることなく、意図しないボタン入力を防ぐようにしたＳＩＭリーダライタを提供することにある。
【課題を解決するための手段】
【００１０】
上記の目的を達成するため、本発明は、ＵＳＢ用コネクタを有し、接触と非接触のインターフェイスを備えるＳＩＭを着脱可能に装着するＳＩＭリーダライタであって、表面に設けた凹部内に操作ボタンを設置したことを特徴としている。
【００１１】
そして、凹部に隣接して指操作式のセンサー又はデバイスがあるタイプのＳＩＭリーダライタとすることもできる。
【発明の効果】
【００１２】
本発明のＳＩＭリーダライタは、表面に設けた凹部内に操作ボタンを設置した構成を採ったことにより、不用意にボタンを触って動作させてしまう機会が小さくなり、意図しないボタン入力を防ぐことができる。
【００１３】
また、操作ボタンの近くに指操作式のセンサー又はデバイスを設けたタイプのＳＩＭリーダライタにあっては、センサーやデバイスを指で操作する際に過ってボタンを押すことがない。
【発明を実施するための最良の形態】
【００１４】
本発明のＳＩＭリーダライタは、携帯型ＩＤモジュールに非接触通信機能を持たせ、ＳＩＭ自体のＩＣチップに接触、非接触インターフェイスを備えさせ、かつＳＩＭを装着するようにしたものである。具体的には、ＵＳＢ用コネクタを有し、ＩＳＯ７８１６−２、ＩＳＯ７８１６−３で規定する接触、ＩＳＯ１４４４３で規定する非接触インターフェイスを備えるとともに、少なくとも、制御用ＩＣと、ＵＳＢ／ＩＳＯ７８１６変換ＩＣと、非接触交信のためのアンテナコイルとを有している。
【００１５】
このＳＩＭリーダライタは、ＰＣに接続している際は、非接触通信機能が遮断されることもある。そして、ＰＣとの非接続時には、非接触インターフェイスを使ってコンビニエンスストアやレストランでの支払や交通機関の改札や施設の入退室管理に利用することもできる。また、赤外線通信手段を備える場合は、ＩＳＯ１４４４３による非接触通信よりも長い距離での通信が可能となる。
【００１６】
図１は本発明に係るＳＩＭリーダライタの一例を示す平面図、図２は図１のＸ−Ｘ断面における形状を示すための模式図である。
【００１７】
このＳＩＭリーダライタ１は、本体部２に突設したＵＳＢコネクタ部３を保護するためのキャップ４を備えた構成で、キャップ４を被せる反対側にＳＩＭの挿入口（図示せず）が設けられている。このキャップ４には、脱落防止用の留め部４ａが設けられており、その留め部４ａの先端に凸部４ｂが設けられている。
【００１８】
また、本体部２の表面には液晶ディスプレイ５が設けられており、この液晶ディスプレイ５とＳＩＭ挿入口の間に凹部６，７，８が設けられ、各凹部内に操作ボタン９，１０，１１が設置されている。例えば、操作ボタン９は電源のオンオフ用、残りの操作ボタン１０，１１はその他の機能を持たせたボタンとすることができる。また、符号１２は一番上の凹部６に隣接して設けられたスイープ型の指紋センサーモジュールである。
【００１９】
液晶ディスプレイ５は、挿入されているＳＩＭのＩＣチップが保持する情報を例えば操作ボタン１０の操作により順次表示する。なお、表示手段は液晶ディスプレイに限るものではなく、有機ＥＬや電子ペーパー等の薄型で消費電力の少ない表示装置を代替することもできる。
【００２０】
図示のＳＩＭリーダライタ１では、操作ボタン９，１０，１１は一枚のボタンモジュール１３に一体化されている。そして、各操作ボタン９，１０，１１はそれぞれ凹部６，７，８の底にあるため、図３に示すように指先では押しにくくなっている。したがって、不用意に操作ボタン９，１０，１１を押してしまうことがなくなる。また、指紋センサーモジュール１２を指でなぞった時に過って操作ボタン９，１０，１１を押すことがない。なお、凹部６，７，８に隣接してポインタデバイスを設けた場合も同様に指操作によって過って操作ボタンを押すことがない。
【００２１】
操作ボタン９，１０，１１は、無理をすれば指先や爪で押せないことはないが、このＳＩＭリーダライタ１の場合、キャップ４の留め部４ａに設けた凸部４ｂにより簡単に押すことができる。また、本体部２に図４に示すようなストラップ１４を取り付けておき、その長さ調節部材１５に設けた凸部１５ａにより操作ボタン９，１０，１１を押すようにすることもできる。もちろん、ペン先等の尖ったもので押しても構わない。
【００２２】
以上、具体例を挙げて本発明を説明したが、本発明によるＳＩＭリーダライタは、上記の例に何ら限定されるものではなく、本発明の趣旨を逸脱しない範囲において種々の変更が可能であることは当然のことである。
【図面の簡単な説明】
【００２３】
【図１】本発明に係るＳＩＭリーダライタの一例を示す平面図である。
【図２】図１のＸ−Ｘ断面における形状を示すための模式図である。
【図３】指先では操作ボタンを押しにくい様子を示す説明図である。
【図４】本発明のＳＩＭリーダライタに付けるストラップの正面図である。
【符号の説明】
【００２４】
１  ＳＩＭリーダライタ
２  本体部
３  ＵＳＢコネクタ部
４  キャップ
４ａ  留め部
４ｂ  凸部
５  液晶ディスプレイ
６，７，８  凹部
９，１０，１１  操作ボタン
１２  指紋センサーモジュール
１３  ボタンモジュール
１４  ストラップ
１５  長さ調節部材
１５ａ  凸部
【図１】
2005202642.tif 000003
【図２】
2005202642.tif 000004
【図３】
2005202642.tif 000005
【図４】
2005202642.tif 000006